(57)【要約】【課題】内部の温度を均一化することができるバッテリーパック等の技術を提供すること。【解決手段】バッテリーパック４０は、バッテリーセル４３ａ〜４３ｄを内蔵する第１の筐体４１と、バッテリーセル４３ｅ〜４３ｈを内蔵する第２の筐体４２とを備える。第１の筐体４１は、ノート型ＰＣ本体１０の底面側に設けられた凹部２６であって、ノーマルバッテリーパックが嵌合可能な凹部２６に嵌合可能である。第２の筐体４２は、第１の筐体４１の底面における後端部側から後方に向かって伸びるように、第１の筐体４１に対して所定の角度傾斜して設けられている。第１の筐体及び第２の筐体の内部には、第１の筐体及び第２の筐体に亘って熱伝導シート６５が設けられている。これにより、第１の筐体内部のバッテリーセル４３ｅ〜４３ｈと第２の筐体内部のバッテリーセル４３ｅ〜４３ｈの温度を均一化することができる。【選択図】図１２
2011054366.tif 000002
【特許請求の範囲】
【請求項１】
電子機器本体に電源を供給するバッテリーパックであって、
前記電子機器本体に電源を供給する第１のバッテリーを内蔵する第１の筐体と、
前記第１の筐体に対して設けられ、前記電子機器本体に電源を供給する第２のバッテリーを内蔵する第２の筐体と、
前記第１の筐体及び前記第２の筐体に亘って設けられ、前記第１のバッテリー及び第２のバッテリーに当接して、前記第１のバッテリーと前記第２のバッテリーとの間で熱を伝導する熱伝導部材と
を具備するバッテリーパック。
【請求項２】
請求項１に記載のバッテリーパックであって、
前記電子機器本体は、凹部が形成された第１の領域と、前記第１の領域に並列する第２の領域とを有する底面を有し、
前記第１の筐体は、前記凹部に嵌合可能であり、
前記第２の筐体は、前記第１の筐体の一端部に連結される一端部を有し、前記第１の筐体が前記凹部に嵌合された状態で、前記第２の領域との間で間隙を形成するように、前記第１の筐体に対して所定の角度傾斜して設けられる
バッテリーパック。
【請求項３】
請求項２に記載のバッテリーパックであって、
前記第１の筐体の底面側を構成する第１フレーム部と、前記第２の筐体の上面側を構成し、前記第１のフレーム部に対して所定の角度傾斜して設けられた第２のフレーム部と、前記第１の筐体の内部及び前記第２の筐体の内部を連通させるように設けられた貫通孔であって、前記熱伝導部材を通すための貫通孔とを有するフレーム部材をさらに具備する
バッテリーパック。
【請求項４】
請求項３に記載のバッテリーパックであって、
前記熱伝導部材は、前記第１のフレーム部の上面側に配置され、前記第１のバッテリーパックの底面側に当接する第１の当接部と、前記第２のフレームの底面側に配置され、前記第２のバッテリーの上面側に当接する第２の当接部とを有し、前記貫通孔を介して前記第１の筐体の内部及び前記第２の筐体の内部に亘って設けられる
バッテリーパック。
【請求項５】
請求項４に記載のバッテリーパックであって、
前記熱伝導部材は、熱伝導シートにより構成される
バッテリーパック。
【請求項６】
請求項４に記載のバッテリーパックであって、
前記熱伝導部材は、ヒートパイプにより構成される
【請求項７】
請求項５に記載のバッテリーパックであって、
前記熱伝導シートは、熱伝導率の異なる複数の材料により構成される
バッテリーパック。
【請求項８】
請求項７に記載のバッテリーパックであって、
前記第２の当接部は、前記第１の当接部よりも熱伝導率の高い材料により構成される
バッテリーパック。
【請求項９】
請求項３に記載のバッテリーパックであって、
前記フレーム部材は、前記第１の筐体及び前記第２の筐体の一部を構成する他の部材よりも熱伝導率の高い材料により構成される
バッテリーパック。
【請求項１０】
請求項９に記載のバッテリーパックであって、
前記フレーム部材は、熱伝導率の異なる複数の材料により構成される
バッテリーパック。
【請求項１１】
請求項１０に記載のバッテリーパックであって、
前記第２のフレーム部は、前記第１のフレーム部よりも熱伝導率の高い材料により構成される
バッテリーパック。
【請求項１２】
請求項１に記載のバッテリーパックであって、
前記熱伝導部材は、熱伝導シートにより構成される
バッテリーパック。
【請求項１３】
請求項１に記載のバッテリーパックであって、
前記熱伝導部材は、ヒートパイプにより構成される
バッテリーパック。
【請求項１４】
請求項１に記載のバッテリーパックであって、
前記熱伝導部材は、前記第１の筐体及び前記第２の筐体に亘って設けられた、前記第１の筐体及び前記第２の筐体の一部を構成する筐体部材であって、前記第１の筐体及び前記第２の筐体の一部を構成する他の筐体部材よりも熱伝導率の高い材料により構成される筐体部材により構成される
バッテリーパック。
【請求項１５】
電子機器本体と、
前記電子機器本体に電源を供給する第１のバッテリーを内蔵する第１の筐体と、前記第１の筐体に対して設けられ、前記電子機器本体に電源を供給する第２のバッテリーを内蔵する第２の筐体と、前記第１の筐体及び前記第２の筐体に亘って設けられ、前記第１のバッテリー及び第２のバッテリーに当接して、前記第１のバッテリーと前記第２のバッテリーとの間で熱を伝導する熱伝導部材とを有するバッテリーパックと
を具備する電子機器。
【発明の詳細な説明】
【技術分野】
【０００１】
本発明は、ノート型ＰＣ（Personal Computer）等の電子機器に用いられるバッテリーパック、及びこのバッテリーパックを搭載した電子機器に関する。
【背景技術】
【０００２】
ノート型ＰＣ、携帯電話、携帯ゲーム機などの小型の電子機器には、携帯時に外部からの電源の供給がないような場所でも使用できるように、電子機器本体に対してバッテリーパックが備えられている。一般的に、バッテリーパックは、電子機器本体に対して着脱可能に設けられており、バッテリーパックが長期間の使用により容量劣化した場合には、新たなバッテリーパックと交換して使用される。また、バッテリーパックは、長時間の使用を目的として、既存のバッテリーパックよりも容量の大きいバッテリーパックと交換して使用される場合もある。
【０００３】
下記特許文献１には、ノート型ＰＣ２００（電子計算機２００）に対して、着脱可能な増設バッテリー１００が記載されている。この増設バッテリー１００は、ノート型ＰＣ２００に内蔵されたバッテリーパックの他にノート型ＰＣ２００に対して増設されるバッテリーパックである。増設バッテリー１００は、平板形状とされており、その上面がノート型ＰＣの底面にぴったり重なるようにして配置される。
【先行技術文献】
【特許文献】
【０００４】
【特許文献１】特開平１１−８６８１７号公報（段落[００１６]、［００１８］図１、図１０）
【発明の概要】
【発明が解決しようとする課題】
【０００５】
ところで、ノート型ＰＣ等の電子機器は、内部にＣＰＵ（Central Processing Unit）等の発熱量の大きい部材を内蔵している。したがって、ノート型ＰＣ等の電子機器は、ＣＰＵ等の発熱量の大きい部材が配置された箇所が局所的に高温となってしまう場合がある。この場合、上記特許文献１に記載の増設バッテリーのように、バッテリーの上面がノート型ＰＣの底面に密着して配置されると、バッテリーの一部が局所的に高温となってしまい、バッテリー内部の温度が不均一となってしまうといった問題がある。バッテリーの温度が不均一となってしまうと、バッテリーの容量劣化が加速されてしまったり、バッテリーの過充電が生じてしまったりする、といった問題が生じる。
【０００６】
以上のような事情に鑑み、本発明の目的は、内部の温度を均一化することができるバッテリーパック、及びこのバッテリーパックを搭載した電子機器を提供することにある。
【課題を解決するための手段】
【０００７】
上記目的を達成するため、本発明の一形態に係るバッテリーパックは、電子機器本体に電源を供給するバッテリーパックであって、第１の筐体と、第２の筐体と、熱伝導部材とを具備する。
前記第１の筐体は、前記電子機器本体に電源を供給する第１のバッテリーを内蔵する。
前記第２の筐体は、前記第１の筐体に対して設けられる。この第２の筐体は、前記電子機器本体に電源を供給する第２のバッテリーを内蔵する。
前記熱伝導部材は、前記第１の筐体及び前記第２の筐体に亘って設けられ、前記第１のバッテリー及び第２のバッテリーに当接して、前記第１のバッテリーと前記第２のバッテリーとの間で熱を伝導する。
【０００８】
本発明では、熱伝導部材を介して、第１のバッテリーと第２のバッテリーとの間で熱を伝導させることができるので、第１のバッテリーと第２のバッテリーとの熱を均一化することができる。これにより、バッテリーの容量劣化が加速されてしまったり、バッテリーの過充電が生じてしまったりすることを防止することができる。
【０００９】
上記バッテリーパックにおいて、前記電子機器本体は、前記凹部が形成された第１の領域と、前記第１の領域に並列する第２の領域とを有する底面を有していてもよい。
この場合、第１の筐体は、前記凹部に嵌合可能であってもよい。
この場合、前記第２の筐体は、前記第１の筐体の一端部に連結される一端部を有し、前記第１の筐体が前記凹部に嵌合された状態で、前記第２の領域との間で間隙を形成するように、前記第１の筐体に対して所定の角度傾斜して設けられていてもよい。
【００１０】
本発明では、第２のバッテリーを内蔵する第２の筐体が、前記第１の筐体が前記凹部に嵌合された状態で、電子機器本体の底面の第２の領域に対して間隙を形成するように配置される。これにより、電子機器本体内部に設けられたＣＰＵ等の発熱量の多い部材からの熱が第２の筐体内部の第２のバッテリーに伝わってしまい、第２のバッテリーの容量劣化が加速されてしまうことを防止することができる。なお、電子機器本体に凹部が形成される場合、ＣＰＵ等の発熱量の多い部材は、電子機器本体内部において、第２の領域に対応する位置に配置される場合が多い。
【００１１】
上記バッテリーパックは、フレーム部材をさらに具備していてもよい。
フレーム部材は、第１のフレーム部と、第２のフレーム部と、貫通孔とを有する。
前記第１のフレーム部は、前記第１の筐体の底面側を構成する。
前記第２のフレーム部は、前記第２の筐体の上面側を構成し、前記第１のフレーム部に対して所定の角度傾斜して設けられる。
前記貫通孔は、前記第１の筐体の内部及び前記第２の筐体の内部を連通させるように設けられた貫通孔であって、前記熱伝導部材を通すための貫通孔である。
【００１２】
上記バッテリーパックにおいて、前記熱伝導部材は、第１の当接部と、第２の当接部とを有していてもよい。この場合、熱伝導部材は、前記貫通孔を介して前記第１の筐体の内部及び前記第２の筐体の内部に亘って設けられていてもよい。
前記第１の当接部は、前記第１のフレーム部の上面側に配置され、前記第１のバッテリーパックの底面側に当接する。
前記第２の当接部は、前記第２のフレームの底面側に配置され、前記第２のバッテリーの上面側に当接する。
【００１３】
これにより、熱伝導部材の折り曲げを最小にすることができる。これにより、熱伝導部材の材質として、折り曲げに弱い材質を熱伝導部材の材質として用いることができる。また、熱伝伝導部材の第２の当接部が第２のバッテリーの上面側に配置されるので、電子機器本体の底面の第２の領域と、第２のバッテリーとの間に第２の当接部が介在されることになる。これにより、第２の領域と第２のバッテリーとの間で熱が伝わってしまうことを防止する効果がさらに大きくなる。
【００１４】
上記バッテリーパックにおいて、前記熱伝導部材は、熱伝導シートにより構成されていてもよい。あるいは、前記熱伝導部材は、ヒートパイプにより構成されていてもよい。
【００１５】
上記バッテリーパックにおいて、熱伝導シートは、熱伝導率の異なる複数の材料により構成されていてもよい。
この場合、前記第２の当接部は、前記第１の当接部よりも熱伝導率の高い材料により構成されていてもよい。
これにより、第１のバッテリーと第２のバッテリーとの間でさらに熱の均一化を図ることができる。
【００１６】
上記バッテリーパックにおいて、前記フレーム部材は、前記第１の筐体及び前記第２の筐体の一部を構成する他の部材よりも熱伝導率の高い材料により構成されていてもよい。
これにより、熱伝導部材だけでなく、フレーム部材を介して第１のバッテリーと第２のバッテリーとの間で熱を伝導させることができる。これにより、第１のバッテリーと第２のバッテリーとの間でさらに熱の均一化を図ることができる。
【００１７】
上記バッテリーパックにおいて、前記フレーム部材は、熱伝導率の異なる複数の材料により構成されていてもよい。
この場合、前記第２のフレーム部は、前記第１のフレーム部よりも熱伝導率の高い材料により構成されていてもよい。
これにより、第１のバッテリーと第２のバッテリーとの間でさらに熱の均一化を図ることができる。
【００１８】
上記バッテリーパックにおいて、前記熱伝導部材は、前記第１の筐体及び前記第２の筐体に亘って設けられた、前記第１の筐体及び前記第２の筐体の一部を構成する筐体部材であってもよい。この場合、筐体部材は、前記第１の筐体及び前記第２の筐体の一部を構成する他の筐体部材よりも熱伝導率の高い材料により構成されていてもよい。
【００１９】
本発明の一形態に係る電子機器は、電子機器本体と、バッテリーパックとを具備する。
前記バッテリーパックは、第１の筐体と、第２の筐体と、熱伝導部材とを有する。
前記第１の筐体は、前記電子機器本体に電源を供給する第１のバッテリーを内蔵する。
前記第２の筐体は、前記第１の筐体に対して設けられる。この第２の筐体は、前記電子機器本体に電源を供給する第２のバッテリーを内蔵する。
前記熱伝導部材は、前記第１の筐体及び前記第２の筐体に亘って設けられ、前記第１のバッテリー及び第２のバッテリーに当接して、前記第１のバッテリーと前記第２のバッテリーとの間で熱を伝導する。
【００２０】
以上説明したように、本発明によれば、内部の温度を均一化することができるバッテリーパック、及びこのバッテリーパックを搭載した電子機器を提供することができる。
【図面の簡単な説明】
【００２１】
【図１】本発明の一実施形態に係るバッテリーパックが搭載されたノート型ＰＣを示す底面図である。
【図２】本発明の一実施形態に係るバッテリーパックが搭載されたノート型ＰＣを示す前面図である。
【図３】本発明の一実施形態に係るバッテリーパックが搭載されたノート型ＰＣを示す後面図である。
【図４】本発明の一実施形態に係るバッテリーパックが搭載されたノート型ＰＣを示す右側面図である。
【図５】本発明の一実施形態に係るバッテリーパックが搭載されるノート型ＰＣ本体を示す斜視図である。
【図６】ノート型ＰＣ本体の本体部を底面側から見た斜視図である。
【図７】本体ラッチ機構を示す拡大図であり、底面側を上方として本体ラッチ機構を前方側から見た図である。
【図８】本発明の一実施形態に係るバッテリーパックを示す平面図である。
【図９】本発明の一実施形態に係るバッテリーパックを示す底面図である。
【図１０】本発明の一実施形態に係るバッテリーパックを示す前面図である。
【図１１】本発明の一実施形態に係るバッテリーパックを示す後面図である。
【図１２】本発明の一実施形態に係るバッテリーパックを示す右側面図である。
【図１３】第１の筐体の前面側を示す斜視図である。
【図１４】本発明の一実施形態に係るバッテリーパックの分解斜視図である。
【図１５】下ケースを示す斜視図である。
【図１６】中間フレームを示す斜視図である。
【図１７】中間フレームを示す平面図である。
【図１８】中間フレームを示す底面図である。
【図１９】中間フレームに着装される熱伝導シートを示す平面図である。
【図２０】ラッチ機構のロック爪を示す拡大図であり、壁部の中央近傍を後方側から見た斜視図である。
【図２１】ラッチ機構の構成を説明するための模式図であり、ラッチ機構を後方側から見た図である。
【図２２】ノート型ＰＣ本体の本体ラッチ機構と、バッテリーパックのラッチ機構とが係合されるときの動作を示す模式図である。
【図２３】ノート型ＰＣ本体の本体ラッチ機構と、バッテリーパックのラッチ機構との係合状態が解除されるときの動作を示す模式図である。
【図２４】第１の固着機構がノート型ＰＣ本体に固着された状態を、底面側を上方として前方側から見た断面図である。
【発明を実施するための形態】
【００２２】
以下、図面を参照しながら、本発明の実施形態を説明する。
【００２３】
＜第１実施形態＞
（バッテリーパックが搭載された電子機器）
図１、図２、図３、図４は、本発明の第１実施形態に係るバッテリーパック４０が搭載されたノート型ＰＣ１００を示す底面図、前面図、後面図、右側面図である。
これらの図に示すように、バッテリーパック４０は、ノート型ＰＣ本体１０の底面側に着装されて使用される。バッテリーパック４０は、典型的には、ノート型ＰＣ本体１０から図示しないノーマルバッテリーパックが取り外された後、ノート型ＰＣ本体１０に着装されて使用される。ここで、ノーマルバッテリーパックとは、ノート型ＰＣ本体の規格に合わせて、ノート型ＰＣ本体にあらかじめ搭載されているバッテリーパックを指す。
【００２４】
（ノート型ＰＣ本体の構成）
まず、本発明の第１実施形態に係るバッテリーパック４０が搭載されるノート型ＰＣ本体１０について説明する。
図５は、ノート型ＰＣ本体１０を示す斜視図である。
図５に示すように、ノート型ＰＣ本体１０は、本体部２０と、本体部２０にヒンジ１９を介して回動可能に取り付けられた表示部３０とを含む。
【００２５】
なお、ノート型ＰＣ本体１０の説明において、ヒンジ１９が設けられた側とは反対側を前方側、ヒンジ１９が設けられた側を後方側として説明する。この前方側、後方側の関係は、ノート型ＰＣに着装されるバッテリーパック４０においても同様である。
【００２６】
表示部３０は、表示部の筐体３１と、筐体３１の内面側から露出する表示画面３２を有するＬＣＤ（Liquid Crystal Display）表示パネルとを有する。
【００２７】
本体部２０は、本体筐体２１を備える。本体筐体２１の内面側には、キーボードユニット２２、タッチパッド２３等の入力装置が設けられ、本体筐体２１の側面側には、ＶＧＡ（Video Graphics Array）コネクタ２４、イーサコネクタ２５等のインターフェイス部が設けられる。
また、本体筐体２１内部には、図示しない、ＣＰＵ等の電子部品を搭載したマザーボード、ハードディスク装置、ＣＰＵ等の発熱量の多い部品からの熱を外部へ放出するファン装置等の各種の部品が設けられる。
【００２８】
図６は、ノート型ＰＣ本体１０の本体部２０を底面側から見た斜視図である。
図６に示すように、本体筐体２１の底面における前方側の領域２１ａ（以下、前方側領域２１ａ）には、ノーマルバッテリーパックが嵌合可能な凹部２６が設けられている。
この凹部２６の形状及び大きさは、ノーマルバッテリーパックとの相対的な関係で設定されており、ノーマルバッテリーパックと同等の形状及び大きさとされる。ノーマルバッテリーパックが凹部２６に嵌合される場合、ノーマルバッテリーパックは、凹部２６に対して隙間なく嵌合される。
【００２９】
ここで、本体筐体２１の前方側領域２１ａに、凹部２６が形成される関係上、マザーボード（ＣＰＵ）、ハードディスク装置等の発熱量の大きい部品や、ファン装置等の部品は、本体筐体２１内部において後方側に配置される。
【００３０】
本体筐体２１の底面における後方側の平坦な領域２１ｂ（以下、後方側領域２１ｂ）には、ファン装置の吸気口２７が設けられる。また、後方側領域２１ｂには、バッテリーパック４０の固着機構４６、４７（図２４参照）を固着するためのナット９４が埋め込まれた２つの孔２８、２９が設けられる。ナット９４が埋め込まれた孔２８、２９は、本体筐体２１の後方側の角部の近傍に設けられる。
【００３１】
前方側領域２１ａと、後方側領域２１ｂとの境界部の近傍（凹部２６の後方側の縁部の近傍）には、バッテリーパック４０が凹部２６に嵌合された状態を保持する本体ラッチ機構３３と、２つのロック機構３４、３５とが設けられる。
本体ラッチ機構３３は、上記境界部の略中央に設けられ、２つのロック機構３４、３５は、境界部の両端側にそれぞれ設けられる。
【００３２】
２つのロック機構３４、３５は、それぞれ、本体筐体２１の底面の後方側領域２１ｂから露出するロックレバー３４ａ、３５ａを有する（図１参照）。２つのロック機構３４、３５は、それぞれバッテリーパック４０に設けられたロック爪７１、７２（図１７、１８参照）と係合可能である。ユーザは、ロックレバー３４ａ、３５ａを本体筐体２１の幅方向（Ｘ軸方向）に移動させることで、バッテリーパック４０のロック状態と、非ロック状態とを切り替えることができる。
【００３３】
図７は、本体ラッチ機構を示す拡大図であり、本体部の底面側を上方として本体ラッチ機構を前方側から見た図である。
図７に示すように、本体ラッチ機構３３は、複数の凸部１１により構成される滑り止めが形成された操作面を有するリリースレバー１２と、係合部１３とを含む。
【００３４】
リリースレバー１２の操作面は、本体筐体２１の底面の後方側領域２１ｂから露出する。係合部１３は、バッテリーパック４０に設けられたロック爪７０（図２０参照）と係合可能とされる。
リリースレバー１２及び係合部１３は本体筐体２１の幅方向（Ｘ軸方向）に一体的に移動可能とされている。リリースレバー１２及び係合部１３は、図７で見て右側に、本体筐体２１の内部に設けられた図示しないバネ等の弾性部材により付勢されており、手動により左側に移動可能とされている。係合部１３には、傾斜面１３ａが設けられる。この傾斜面１３ａは係合部１３が弾性部材により付勢される側（右側）に設けられる。
【００３５】
図６を参照して、本体筐体２１の底面に設けられた凹部２６内の中央近傍には、カードスロット部３６が設けられる。カードスロット部３６は、本体筐体２１の前面の中央近傍に設けられた２つのスロット孔３６ａ、３６ｂを有する。２つのスロット孔３６ａ、３６ｂは、幅方向（Ｘ軸方向）に沿う方向で並ぶように配置される。このスロット孔３６ａ、３６ｂを介して、例えばメモリースティックやＳＤカード等のメモリーカードが本体筐体２１内に挿入される。
【００３６】
本体筐体２１の前面側には、幅方向（Ｘ軸方向）に沿って、所定の間隔で複数の係合部材３７が設けられている。係合部材３７は、例えば、カードスロット部３６を挟んで、幅方向の両側にそれぞれ２つずつ設けられる。なお、係合部材３７の数は、特に限定されない。係合部材３７には、前方側から後方側（Ｙ軸方向）に向けて貫通する係合孔３７ａが設けられている。係合孔３７ａは、バッテリーパック４０の前面側に設けられた突起５４（図１３参照）に係合可能とされる。
【００３７】
凹部２６の後方側の壁面の中央近傍には、コネクタ部３８が設けられる。コネクタ部３８は、バッテリーパック４０のコネクタ部５２（図８参照）と接続可能とされる。
【００３８】
凹部２６を挟み込んで、幅方向（Ｘ軸方向）で互いに対向する一対の側壁部１４、１５には、それぞれ切り欠き部１８ａ、１８ｂが設けられる。切り欠き部１８ａ、１８ｂは、側壁部１４、１５の前方側に設けられる。切り欠き部１８ａ、１８ｂは、本体筐体２１の底面側及び凹部２６側に向けて開口している。切り欠き部１８ａ、１８ｂは、バッテリーパック４０の側面から突出するボス部５５、５６（図１３参照）と係合可能とされる。
【００３９】
上記したノート型ＰＣ本体１０の、凹部２６、本体ラッチ機構３３、ロック機構３４、３５、係合部材３７、コネクタ部３８、切り欠き部１８ａ、１８ｂ等の部材は、バッテリーパック４０とノーマルバッテリーパックとで共通で用いられる。
【００４０】
（バッテリーパックの構成）
次に、バッテリーパックの構成について説明する。
［バッテリーパックの外形等］
まず、バッテリーパックの外形等について説明する。
図８、図９、図１０、図１１、図１２は、それぞれ、本発明の一実施形態に係るバッテリーパックを示す平面図、底面図、前面図、後面図、右側面図である。
【００４１】
図８〜図１２に示すように、バッテリーパック４０は、ノート型ＰＣ本体１０の底面側に設けられた凹部２６に嵌合可能な第１の筐体４１と、第１の筐体４１の底面の後端部側から後方側に向かって伸びるように、第１の筐体４１に対して所定の角度傾斜して設けられた第２筐体４２とを備える。
【００４２】
第１の筐体４１及び第２の筐体４２は一体的に形成されている。第１の筐体４１及び第２の筐体４２の内部には、それぞれバッテリーセル４３ａ〜４３ｄ、４３ｅ〜４３ｈが内蔵される（図１４参照）。
【００４３】
第２の筐体４２の後側の２つの角部近傍には、第２の筐体４２の上面から上方に向かって斜め上方向に伸びる２つの支持体４４、４５が設けられている。すなわち、バッテリーパック４０は、第１の支持体４４と、第２の支持体４５とを備える。第１の支持体４４及び第２の支持体４５は、バッテリーパック４０がノート型ＰＣ本体１０に着装されたときに、バッテリーパック４０を後方側で支持する。
【００４４】
第１の支持体４４及び第２の支持体４５の内部には、それぞれ第１の固着機構４６及び第２の固着機構４７が設けられる。第１の固着機構４６及び第２の固着機構４７は、バッテリーパック４０をノート型ＰＣ本体１０に対して固着する。図９及び図１１では、第１の固着機構４６及び第２の固着機構４７の一部を構成するダイヤル部９１が、第１の支持体４４及び第２の支持体４５の後方から露出した状態が示されている。また、図１２では、第２の固着機構４７の一部を構成するダイヤル部９１が第２の支持体４５の後方から露出した露出した状態と、第２の固着機構４７の一部を構成するネジ部９２ｂが第２の支持体４５の上面から露出した状態が示されている。なお、第１の固着機構４６及び第２の固着機構４７についての詳細は、後述する。
【００４５】
第１の支持体４４及び第２の支持体４５の間には、第２の筐体４２の上面から垂直方向（Ｚ軸方向）に伸びる支持部４８が設けられる。支持部４８は、第１の支持体４４及び第２の支持体４５と共に、バッテリーパック４０がノート型ＰＣ本体１０に装着されたときに、バッテリーパック４０を後方側で支持する。
【００４６】
バッテリーパック４０の中央近傍には、ノート型ＰＣ本体１０に設けられた本体ラッチ機構３３と係合可能なラッチ機構５０が設けられる。図９では、ラッチ機構５０の一部を構成するリリースレバー７９がバッテリーパック４０の底面の略中央から露出した状態が示されている。なお、ラッチ機構５０についての詳細は、後述する。
【００４７】
バッテリーパック４０の底面側には、バッテリーパック４０が搭載されたノート型ＰＣ１００がテーブル上等に載置される際に、クッションとなるクッション部５１が複数個設けられている。
【００４８】
第１の筐体４１の後面の中央近傍には、ノート型ＰＣ本体１０のコネクタ部３８と接続されるコネクタ部５２が設けられる（図８、図１１参照）。バッテリーパック４０がノート型ＰＣ本体１０に装着されると、バッテリーパック４０のコネクタ部５２とノート型ＰＣ本体のコネクタ部３８とが接続される。これにより、バッテリーパック４０内のバッテリーセル４３ａ〜４３ｈからノート型ＰＣ本体１０へ電力が供給される。あるいは、ノート型ＰＣ本体１０からバッテリーパック４０に電力が供給され、バッテリーパック４０内のバッテリーセル４３ａ〜４３ｈが充電される。
【００４９】
第１の筐体４１は、平板状の直方体形状を有しており、その大きさはノート型ＰＣ本体１０の底面側に設けられた凹部２６と同等の大きさとされる。すなわち、第１の筐体４１の形状及び大きさは、ノート型ＰＣ本体１０の底面側に設けられた凹部２６との関係で設定されており、凹部２６と同等の形状及び大きさとされる。
【００５０】
ここで、上記のように、凹部２６の形状及び大きさは、ノーマルバッテリーパックと同等の形状及び大きさとされている。従って、第１の筐体４１は、ノーマルバッテリーパックと同等の形状及び大きさとされる。バッテリーパック４０がノート型ＰＣ本体１０に着装される場合、第１の筐体４１は、凹部２６に対して隙間なく嵌合される（図１〜図４参照）。
第１の筐体４１の上面の中央には、ＰＣ本体の凹部２６内に設けられたカードスロット部３６に対応して窪み５３が形成されている。
【００５１】
図１３は、第１の筐体の前面側を示す斜視図である。
第１の筐体４１の前面には、バッテリーパック４０の幅方向（Ｘ軸方向）に沿って所定の間隔で複数の突起５４が設けられている。突起５４は、ノート型ＰＣ本体１０の本体筐体２１の前面側に設けられた複数の係合部材３７に対応して設けられている。突起５４は、係合部材３７に設けられた係合孔３７ａと係合可能とされる。
突起５４は、例えば、窪み５３を挟んで幅方向の両側にそれぞれ２つずつ設けられる。突起５４の数は、特に限定されないが、本体筐体２１に設けられた係合部材３７と同じ数とされる。
突起５４は、第１の筐体４１が凹部２６に嵌合される際に、係合部材３７の係合孔３７ａと係合し、バッテリーパック４０の前方側で第１の筐体４１の嵌合状態を保持する。
【００５２】
第１の筐体４１の右側面の前方側には、右側面から突出するボス部５６が設けられる。なお、図１３には図示されていないが、第１の筐体４１の左側面の前方側にも左側面から突出するボス部５５が設けられる（図８、図９参照）。ボス部５５、５６は、それぞれノート型ＰＣ本体１０の底面側の側壁部１４、１５に形成された切り欠き部１８ａ、１８ｂと係合可能とされる。
【００５３】
バッテリーパック４０がノート型ＰＣ本体１０に対して着脱される際、バッテリーパック４０は、切り欠き部１８ａ、１８ｂに係合されたボス部５５、５６を軸として回動される。バッテリーパック４０にボス部５５、５６が設けられていることにより、バッテリーパック４０の着脱を容易にすることができる。
【００５４】
図８〜図１２を参照して、第２の筐体は、平板状の直方体形状を有する。第２の筐体４２の大きさ（幅（Ｘ軸方向）×長さ（Ｙ軸方向））は、本体筐体２１の底面側の後方側領域２１ｂの面積との関係で設定される。この場合、第２の筐体４２は、典型的には、本体筐体２１の底面側の後方側領域２１ｂと略同等の大きさとされる。すなわち、第２の筐体４２内部には、バッテリーセルが内蔵されるので、第２の筐体４２の大きさは、大きいほうが有利である。従って、典型的には、第２の筐体４２の大きさは、後方側領域２１ｂと同等の大きさとされる。しかしながら、必ずしも後方側領域２１ｂと同等の大きさとされなくてもよい。例えば、第２の筐体４２の大きさは、後方側領域２１ｂの半分程度の大きさであっても構わない。
【００５５】
第２の筐体４２の上面は、バッテリーパック４０がノート型ＰＣ本体１０に着装されたときに、後方側領域２１ｂに対して間隙を開けて対向する（図４等参照）。すなわち、第２の筐体４２は、第１の筐体４１に対して所定の角度傾斜して設けられているので、第２の筐体４２の上面は、バッテリーパック４０がノート型ＰＣ本体１０に着装されたときに、後方側領域２１ｂに対して間隙を開けて対向することになる。
【００５６】
ここで、上記したように、ノート型ＰＣ本体１０の本体筐体２１内部において、マザーボード（ＣＰＵ）、ハードディスク装置等の発熱量の大きい部品は、後方側に配置される。一般的に、ノート型ＰＣ本体１０の前方側に、ノーマルバッテリーパック嵌合用の凹部２６が形成される形態の場合、前方側に凹部２６が形成される関係上、マザーボード（ＣＰＵ）、ハードディスク等の発熱量の大きい部品は、本体筐体２１内部において後方側に配置されることになる。従って、ノート型ＰＣ本体１０は、後方側において特に発熱量が大きい。
【００５７】
本実施形態に係るバッテリーパック４０では、上記したように、第２の筐体４２の上面と、ノート型ＰＣ本体１０の底面の後方側領域２１ｂとの間に間隙を形成することができる。これにより、発熱量の大きいノート型ＰＣ本体１０の後方側からの熱が第２の筐体４２に直接的に伝わってしまうことを防止することができる。これにより、第２の筐体４２に内蔵されたバッテリーセルが高温となってしまい、バッテリーセルの容量劣化が加速されてしまうことを防止することができる。
【００５８】
また、本実施形態では、第２の筐体４２の上面と、ノート型ＰＣ本体１０の底面の後方側領域２１ｂとの間に間隙を形成することができるので、第２の筐体４２が、後方側領域２１ｂに設けられたファン装置の吸気口２７を覆ってしまうことを防止することができる。これにより、ノート型ＰＣ本体１０内部が高熱となってしまうことを防止することができる。なお、一般的に、ファン装置の吸気口２７は、ノート型ＰＣ本体１０の底面の後方側領域２１ｂに配置されることが多い。
【００５９】
さらに、本実施形態では、第２の筐体４２が第１の筐体４１に対して所定の角度傾斜して設けられているので、バッテリーパック４０が搭載されたノート型ＰＣ１００が、机上等に載置されて使用される場合、ノート型ＰＣ１００の後方側が前方側に対して浮き上がることになる。すなわち、本実施形態に係るバッテリーパック４０は、チルトフットとしての機能も有する。
ユーザがノート型ＰＣ１００を操作する場合、キーボードユニット２２が前方側から後方側に向かって浮き上がるので、キーボード入力の操作性を向上させることができる。
【００６０】
［バッテリーパックの内部構成等］
次に、バッテリーパック４０の内部構成や、バッテリーパック４０を構成する各部材等について説明する。
図１４は、バッテリーパックの分解斜視図である。
図１４に示すように、バッテリーパック４０は、上ケース６０、第１のバッテリーセル群６１、熱伝導シート６５が着装された中間フレーム６２、第２のバッテリーセル群６３、及び下ケース６４が組み立てられて構成される。
【００６１】
上記第１の筐体４１は、上ケース６０と、中間フレームの前方部６２ａ及び中間フレーム６２の中央近傍に幅方向（Ｘ軸方向）に沿って設けられた壁部６６と、下ケースの前方部６４ａにより構成される。
上記第２の筐体４２は、中間フレームの後方部６２ｂと、下ケースの後方部６４ｂとにより構成される。
【００６２】
第１の筐体に内蔵される第１のバッテリーセル群６１は、４つのバッテリーセル４３ａ〜４３ｄを含む。４つのバッテリーセル４３ａ〜４３ｄは、第１の筐体４１の幅方向（Ｘ軸方向）でそれぞれ２ずつ配置される。
同様に、第２の筐体４２に内蔵される第２のバッテリーセル群６３も４つのバッテリーセル４３ｅ〜４３ｈを含む。４つのバッテリーセル４３ｅ〜４３ｈは、第２の筐体４２の幅方向（Ｘ軸方向）でそれぞれ２つずつ配置される。
【００６３】
なお、第１のバッテリーセル群６１及び第２のバッテリーセル群６３に含まれるバッテリーセルの個数は、特に限定されない。
【００６４】
バッテリーセル４３ａ〜４３ｈとしては、例えば、例えばリチウムイオン電池やリチウムポリマー電池等の２次電池が用いられる。
バッテリーセル４３ａ〜４３ｈは、例えば、アルミニウム等により形成されたラミネート包装フィルム５７によりラミネート包装されている。
【００６５】
バッテリーセル４３ａ〜４３ｈは、バッテリーセルの電極端子に接続された接続線がプリントされた配線基板５８を介して制御回路基板５９に電気的に属されている。制御回路基板５９は、典型的には、第１の筐体４１内部において、略中央に配置される。制御回路基板５９は、バッテリーセル４３ａ〜４３ｈからノート型ＰＣ本体１０への電力の供給を制御する。また、制御回路基板５９は、ノート型ＰＣ本体１０からバッテリーセル４３ａ〜４３ｈへの電力の供給を制御し、バッテリーセル４３ａ〜４３ｈを過充電から保護する。
制御回路基板５９の後方側には、ノート型ＰＣ本体１０に設けられたコネクタ部３８と接続されるコネクタ部５２が電気的に接続されている。
【００６６】
上ケース６０は、第１の筐体４１の上部を構成する部材である。上ケース６０の中央近傍には、ノート型ＰＣ本体１０の凹部２６内に設けられたカードスロット部３６に対応して窪み５３が形成されている。また、上ケース６０の前面には、上記した突起５４が複数個設けられている。
【００６７】
図１５は、下ケースを示す斜視図である。
図１５に示すように、下ケース６４は、容器状に形成されている。下ケース６４は、前方部６４ａと、前方部６４ａに対して所定の角度傾斜して設けられた後方部６４ｂとを有する。下ケース前方部６４ａは、第１の筐体４１の下部を構成し、下ケース後方部６４ｂは、第２の筐体４２の下部を構成する。
【００６８】
下ケース前方部６４ａの上面には、中間フレーム前方部６２ａを介して第１のバッテリーセル群６１が載置される。下ケース後方部６４ｂの上面には、第２のバッテリーセル群６３が載置される。
【００６９】
下ケース６４の中央近傍であって、下ケース前方部６４ａと下ケース後方部６４ｂの境界部の近傍には、ラッチ機構５０の一部を構成する解除部材８２が設けられる。この解除部材８２は、ノート型ＰＣ本体１０の本体ラッチ機構３３が有する係合部１３と、バッテリーパック４０のラッチ機構５０が有するロック爪７０（図２０参照）の係合状態を解除するための部材である。
【００７０】
下ケース後方部６４ｂの後方側の２つ角部には、斜め上方向に向かって伸びる２つの部材６７、６８が設けられる。この２つの部材６７、６８は、第１の支持体４４及び第２の支持体４５の一部と、第１の固着機構４６及び第２の固着機構４７を構成する部材である。
【００７１】
図１６は、中間フレームを示す斜視図である。図１７は、中間フレームを示す平面図であり、図１８は、中間フレームを示す底面図である。
中間フレーム６２には、第１のバッテリーセル群６１と第２のバッテリーセル群６３との間で熱を伝導する熱伝導シート６５が着装される。
【００７２】
図１９は、中間フレームに着装される熱伝導シートを示す平面図である。上記図１４では、中間フレームに熱伝導シートが着装された状態が示されている。
【００７３】
図１６〜図１８に示すように、中間フレーム６２は、略矩形の板状部材であり、前方部６２ａと、前方部６２ａに対して所定の角度で折り曲げられた後方部６２ｂとを有する。中間フレーム前方部６２ａは、第１の筐体４１の下部を構成し、中間フレーム後方部６２ｂは、第２の筐体４２の上部を構成する。
【００７４】
中間フレーム前方部６２ａ及び中間フレーム後方部６２ｂの境界部には、幅方向（Ｘ軸方向）に沿って、中間フレーム６２の上面から垂直軸方向（Ｚ軸方向）に伸びる壁部６６が設けられる。壁部６６は、第１の筐体４１の後面側を構成する。
壁部６６の中央近傍には、コネクタ部５２が嵌合される嵌合溝６６ａが設けられる。
【００７５】
壁部６６の後面の中央近傍には、ノート型ＰＣ本体に設けられた本体ラッチ機構３３が有する係合部１３と係合可能なロック爪７０が設けられる（図１７参照）。また、壁部６６の後面の両端側には、ノート型ＰＣ本体が有するロック機構３４、３５、と係合可能なロック爪７１、７２が設けられる（図１７、図１８参照）。
【００７６】
図２０は、ラッチ機構５０のロック爪７０を示す拡大図であり、壁部６６の中央近傍を後方側から見た斜視図である。図２０では、壁部６６及びロック爪７０のみを模式的に表示している。
図２０に示すように、ラッチ機構５０のロック爪７０は、壁部６６の後面（第１の筐体４１の後面）から後方に向けて突出して設けられている。
【００７７】
図１６〜図１８を参照して、中間フレーム前方部６２ａは、バッテリーセル４３ａ、４３ｂの載置箇所に対応する第１の載置領域１５と、バッテリーセル４３ｃ、４３ｄの載置箇所に対応する第２の載置領域１７と、制御回路基板５９の載置箇所としての中間領域１６とを含む。
【００７８】
第１の載置領域１５の後方の領域には、上面から底面に向けて貫通する第１の貫通孔７３が設けられる。同様に第２の載置領域１７の後方の領域には、上面から底面に向けて第２の貫通孔７４が設けられる。第１の貫通孔７３及び第２の貫通孔７４は、幅方向（Ｘ軸方向）に沿って設けられる。
この２つの貫通孔７３、７４は、熱伝導シート６５の一部を通す孔として用いられる。
【００７９】
中間フレームに貫通孔７３、７４が設けられることで、第１の筐体４１の内部と、第２の筐体４２の内部とが連通することになる。
【００８０】
中間フレーム後方部６２ｂの後方側の２つ角部には、上面から斜め上方向に伸びる２つの部材７５、７６が設けられる。この２つの部材７５、７６は、第１の支持体４４及び第２の支持体４５の一部を構成する部材である。２つの部材７５、７６の間には、上記支持部４８が設けられる。
【００８１】
中間フレーム６２の底面側において、中間フレーム後方部６２ｂの中央近傍には、底面から突出する規制部７７が設けられる（図１８参照）。この規制部７７は、バッテリーセル４３ｅ〜４３ｈの角部と係合し、バッテリーセル４３ｅ〜４３ｈの第２の筐体４２内での移動を規制する。
【００８２】
図１９を参照して、熱伝導シート６５は、矩形の薄板の前方側の一部が切り欠かれて形成されており、Ｕ字を逆にした様な形状を有している。
熱伝導シート６５は、中間フレーム前方部６２ａの第１の載置領域１５上に配置される第１の部分６５ａと、中間フレーム前方部６２ａの第２の載置領域１７上に配置される第２の部分６５ｂと、中間フレーム後方部６２ｂの底面側に配置される第３の部分６５ｃとを含む。
【００８３】
熱伝導シート６５の第１の部分６５ａは、中間フレーム６２の底面側から第１の貫通孔７３を介して上面側に抜き出され、中間フレーム前方部６２ａの第１の載置領域１５上に配置される。同様に、熱伝導シート６５の第２の部分６５ｂは、中間フレーム６２の底面側から第２の貫通孔７４を介して上面側に抜き出され、中間フレーム前方部６２ａの第２の載置領域１７上に配置される。
【００８４】
熱伝導シートの第３の部分６５ｃには、中央近傍に開口７８が設けられている。この開口７８は、中間フレーム後方部６２ｂの底面側から突出する規制部７７に対応して設けられている。なお、この開口７８は、必ずしも設けられていなくてもよい。例えば、規制部７７を下ケース後方部６４ｂの上面側に設けることで、開口７８を省略することができる。
【００８５】
熱伝導シート６５の第１の部分６５ａ及び第２の部分６５ｂは、第１の筐体４１内部で、バッテリーセル４３ａ、４３ｂ及びバッテリーセル４３ｃ、４３ｄの底面と当接する。一方、熱伝導シート６５の第３の部分６５ｃは、第２の筐体４２内部で、バッテリーセル４３ｅ〜４３ｈの上面と当接する。
【００８６】
熱伝導シート６５の材料としては、例えば、アルミニウムや銅等の金属や、グラファイト等が用いられる。しかし、これらに限定されない。ここで、中間フレーム６２が多少折り曲げられて形成されている関係上、中間フレーム６２に装着される熱伝導シート６５も多少折り曲げられる。しかしながら、熱伝導シート６５の折り曲げは、急激な折り曲げではない。従って、折り曲げに対する耐久性が弱い材料などであっても、熱伝導シート６５の材料として選択的に用いることができる。
【００８７】
ここで、仮に、中間フレーム６２に熱伝導シート６５が設けられていない場合を想定する。上記したように、ノート型ＰＣ本体１０は、マザーボート（ＣＰＵ）、ハードディスク等が内蔵された後方側で特に発熱量が大きい。第２の筐体４２の上面は、発熱量の大きいノート型ＰＣ本体１０の底面の後方側領域２１ｂに対して間隙を開けて対向する。しかし、ノート型ＰＣ本体１０の後方側からの熱により、第２のバッテリーセル群６３の温度が、第１のバッテリーセル群６１の温度よりも上昇してしまう場合がある。第１のバッテリーセル群６１及び第２のバッテリーセル群６３の温度に差が生じると、バッテリーセル４３ａ〜４３ｈの容量劣化が加速されてしまったり、バッテリーセル４３ａ〜４３ｈの過充電が生じてしまったりする、といった問題がある。
【００８８】
しかしながら、本実施形態では、熱伝導シート６５により第１のバッテリーセル群６１と、第２のバッテリーセル群６３との間で熱を伝導させることができる。これにより、第１のバッテリーセル群６１及び第２のバッテリーセル群６３の温度を均一化することができる。これにより、バッテリーセル４３ａ〜４３ｈの容量劣化の加速されてしまったり、バッテリーセル４３ａ〜４３ｈの過充電が生じてしまったりすることを防止することができる。
【００８９】
また、本実施形態では、熱伝導シート６５の第３の部分６５ｃは、中間フレーム後方部６２ｂの底面側に配置される。これにより、バッテリーパック４０がノート型ＰＣ本体１０に着装されて使用される際には、熱伝導シート６５の第３の部分６５ｃは、ノート型ＰＣ本体１０の後方側領域２１ｂと、第２の筐体４２に内蔵されるバッテリーセル４３ｅ〜ｈとの間に介在されることになる。従って、熱伝導シート６５の第３の部分６５ｃにより、後方側領域２１ｂからの熱がバッテリーセル４３ａ〜４３ｈへ伝わってしまうことを防止することができる。つまり、熱伝導シート６５の第３の部分６５ｃは、断熱材としての機能も有する。
【００９０】
本発明者らは、第１のバッテリーセル群６１と、第２のバッテリーセル群６３との温度差を具体的に測定した。バッテリーパック４０に熱伝導シート６５が設けられていない場合、第１のバッテリーセル群６１と、第２のバッテリーセル群６３との温度差は１２℃であった。熱伝導シート６５の材料として、アルミニウムを用いた場合、温度差は１１℃であった。また、熱伝導シート６５の材料としてグラファイトを用いた場合、温度差は５℃であった。
【００９１】
［ラッチ機構］
次に、本実施系形態に係るバッテリーパックが備えるラッチ機構について説明する。
図２１は、ラッチ機構の構成を説明するための模式図であり、ラッチ機構を後方側から見た図である。図２１の上側には、第１の筐体の後面が示されており、図２１の下側には、第２の筐体の内部が示されている。
【００９２】
ラッチ機構５０は、バッテリーパック４０の中央近傍であって、第１の筐体４１と第２の筐体４２の境界部の近傍に設けられる（図９、図１５等参照）。
ラッチ機構５０は、第１の筐体の後面から後方に向かって突出するするロック爪７０と（図２０参照）、第２の筐体４２の底面側から露出する操作面を有するリリースレバー７９と（図９参照）を有する。また、ラッチ機構５０は、リリースレバー７９と一体的に移動可能な解除部材８２と（図１５参照）を有する。
【００９３】
ロック爪７０は、ノート型ＰＣ本体１０の本体ラッチ機構３３が有する係合部１３（図７参照）に対応する位置に設けられており、係合部１３と係合可能とされる。ロック爪７０は、図２１で見て左側に傾斜面７０ａを有する。
【００９４】
リリースレバー７９は、複数の凸部８０により構成される滑り止めが形成された操作面を有するリリースレバー本体７９ａと、リリースレバー本体７９ａに対して一体形成された垂直部７９ｂとを有する。リリースレバー本体７９ａは、第２の筐体４２の底面に設けられた溝８１内を幅方向（Ｘ軸方向）へ移動可能とされる。
【００９５】
解除部材８２は、ノート型ＰＣ本体１０側の係合部１３及びバッテリーパック４０側のロック爪７０の係合状態を解除するための部材である。解除部材８２は、リリースレバー７９の垂直部７９ｂをホールドする解除部材本体８２ａと、解除部材本体８２ａから上方へ向かって伸びるように設けられた解除部８２ｂとを有する。また、解除部材８２は、解除部材本体８２ａに対して、図２１でみて左側に突出する棒状のバネ支持体８２ｃを有する。
【００９６】
解除部８２ｂは、第２の筐体４２の上面に設けられた貫通孔８５を介して第２の筐体４２の上面から突出しており、その上面は、ロック爪７０の底面と当接する。
バネ支持体８２ｃは、バネ８４を支持する部材である。バネ支持体８２ｃは、第２の筐体４２の底面側の内壁面に対して略垂直に設けられた壁部８３のガイド溝（図示せず）にガイドされる。
解除部材本体８２ａは、バネ８４の弾性力により図２１でみて右側に付勢されている。なお、バネ８４の代わりにゴムなどの他の弾性体が用いられてももちろん構わない。
【００９７】
「ラッチ機構の動作」
次に、ノート型ＰＣ本体の本体ラッチ機構と、バッテリーパックのラッチ機構とが係合されるときの動作及び係合状態が解除されるときの動作について説明する。
【００９８】
図２２は、ノート型ＰＣ本体１０の本体ラッチ機構３３と、バッテリーパック４０のラッチ機構５０とが係合されるときの動作を示す模式図である。図２３は、ノート型ＰＣ本体１０の本体ラッチ機構３３と、バッテリーパック４０のラッチ機構５０との係合状態が解除されるときの動作を示す模式図である。
【００９９】
図２２及び図２３では、ノート型ＰＣ本体１０及びバッテリーパック４０を後方側から見た様子が示されている。また、図２２及び図２３では、ノート型ＰＣ本体１０は、本体ラッチ機構３３の係合部１３のみを模式的に表示している。なお、図２２及び図２３の説明では、便宜的に、ノート型ＰＣ本体１０（係合部１３）及びバッテリーパック４０を後方側から見て右側を右側とし、後方側から見て左側を左側として説明する。
【０１００】
まず、図２２を参照してノート型ＰＣ本体１０の本体ラッチ機構と、バッテリーパック４０のラッチ機構５０とが係合されるときの動作について説明する。
【０１０１】
図２２（Ａ）に示すように、バッテリーパック４０装着時に、ノート型ＰＣ本体１０に対してバッテリーパック４０が近づくと、本体ラッチ機構３３の係合部１３とラッチ機構５０とが近づく。
なお、このとき、バッテリーパック４０は、ノート型ＰＣ本体１０に設けられた切り欠き部１８ａ、１８ｂに係合されたボス部５５、５６を軸として回動されている。
【０１０２】
図２２（Ｂ）に示すように、バッテリーパック４０がノート型ＰＣ本体１０側にさらに移動されると、係合部１３とロック爪７０とが当接する。このとき、係合部１３の傾斜面１３ａと、ロック爪７０の傾斜面７０ａとが当接するため、係合部１３は、左側に移動される。
【０１０３】
図２２（Ｃ）に示すように、バッテリーパック４０がノート型ＰＣ本体１０側にさらに移動されると、図示しないバネなどの弾性体によりノート型ＰＣ本体１０に対して右側に付勢されている係合部１３が右側に移動される。これにより、係合部１３とロック爪７０とが係合され、バッテリーパック４０のノート型ＰＣ本体１０への嵌合状態が保持される。
【０１０４】
次に、図２３を参照して、ノート型ＰＣ本体１０の本体ラッチ機構３３と、バッテリーパック４０のラッチ機構５０との係合状態が解除されるときの動作を説明する。
【０１０５】
ユーザがノート型ＰＣ本体１０からバッテリーパック４０を取り外す場合、図２３（Ａ）に示すように、第２の筐体４２の底面から露出するリリースレバー７９を指で左側に移動させる。リリースレバー７９が左側に移動されると、解除部材８２全体が左側に移動される。
【０１０６】
このとき、第２の筐体４２の上面よりも上方に突出する解除部８２ｂが係合部１３を左側に移動させる。また、このとき、バネ支持体８２ｃは、壁部８３に設けられたガイド溝にガイドされながら左側に移動され、バネ８４は、解除部材本体８２ａと壁部８３との間に挟まれて縮む。
【０１０７】
リリースレバー７９がさらに左側に移動されると、解除部８２ｂが係合部１３をさらに左側に移動させる。これにより、図２３（Ｂ）に示すように、係合部１３の全体がロック爪７０の左側に押し出され、係合部１３とロック爪７０との係合状態が解除される。
【０１０８】
係合部１３とロック爪７０との係合状態が解除されると、バッテリーパック４０の取り外しが可能となるので、ユーザは、図２３（Ｃ）に示すように、ノート型ＰＣ本体１０からバッテリーパック４０を取り外す。ユーザがリリースレバー７９から指を離すと、バネ８４の弾性力により解除部材８２全体及びリリースレバー７９が右側に移動され、解除部材８２及びリリースレバー７９がもとの位置へ戻る。
【０１０９】
以上説明したように、本実施形態のバッテリーパック４０では、ユーザは、バッテリーパック４０の底面側から露出するリリースレバー７９を操作することで、バッテリーパック４０をノート型ＰＣ本体１０から取り外すことができる。
【０１１０】
ところで、本実施形態のノート型ＰＣ本体１０では、本体ラッチ機構３３のリリースレバー１２は、ノート型ＰＣ本体１０の底面の後方側領域２１ｂから露出する（図６、図７参照）。ノート型ＰＣ本体１０にノーマルバッテリーパックが着装されている場合、ユーザは、この本体ラッチ機構３３のリリースレバー１２を操作することで、ノーマルバッテリーパックをノート型ＰＣ本体１０から取り外すことができる。
【０１１１】
しかしながら、本実施形態に係るバッテリーパック４０がノート型ＰＣ本体１０に着装される場合、ユーザは、ノート型ＰＣ本体１０に設けられた本体ラッチ機構３３のリリースレバー１２を操作することができない。すなわち、リリースレバー１２が設けられた底面の後方側領域２１ｂは、バッテリーパック４０の着装時には、第２の筐体４２により覆われてしまう領域であるため、ユーザは、本体ラッチ機構３３のリリースレバー１２を操作することができない。
【０１１２】
そこで、本実施系形態に係るバッテリーパックで４０は、バッテリーパック４０側にもラッチ機構５０を設けることとし、ラッチ機構５０のリリースレバー７９をバッテリーパック４０の底面側から露出させることとしている。これにより、上記したように、ユーザは、バッテリーパック４０の底面側から露出するリリースレバー７９を操作することで、バッテリーパック４０をノート型ＰＣ本体１０から取り外すことができる。
【０１１３】
［固着機構］
次に、第２の筐体４２の後方側に設けられた第１の支持体４４及び第２の支持体４５に対して、それぞれ設けられた第１の固着機構４６及び第２の固着機構４７について説明する。
【０１１４】
図２４は、第２の固着機構４７がノート型ＰＣ本体１０に固着された状態を前方側から見た断面図である。図２４では、底面側を上方として表示している。なお、第１の固着機構４６と第２の固着機構４７とは、同様の構成であるため、第２の固着機構４７を代表的に説明する。
【０１１５】
図２４に示すように、第２の固着機構４７は、垂直軸方向（Ｚ軸方向）の軸を中心軸とて回転可能な筒体９０と、筒体９０の周囲に筒体と一体形成されたダイヤル部９１とを有する。また、第２の固着機構４７は、筒体９０内を垂直軸方向（Ｚ軸方向）に摺動可能なネジ本体９２ａと、ネジ本体９２ａに設けられたネジ部９２ｂとを有するネジ９２と、ネジ本体９２ａの底面に当接するバネ９３とを有する。
【０１１６】
筒体９０の内周面は、水平面（Ｘ−Ｙ平面）での断面形状が、六角形とされている。筒体９０の周囲に設けられたダイヤル部９１は、一部が第２の支持体４５の後面側から露出している（図９、図１１、図１２参照）。これにより、ユーザは、ダイヤル部９１を操作してダイヤル部９１を回転させることができる。
【０１１７】
ネジ本体９２ａの水平面での断面形状は、筒体９０の内周面の断面形状と同様に六角形とされる。これにより、ネジ本体９２ａは、筒体９０内を垂直軸方向に摺動可能とされ、また、筒体９０の回転と共に回転可能とされる。筒体９０の内周面及びネジ本体９２ａの水平面での断面形状は、六角形に限られない。例えば、四角形や、五角形などの他の多角形形状であっても構わない。
【０１１８】
ネジ部９２ｂは、ノート型ＰＣ本体１０の底面側に設けられたナット９４と螺着可能とされる。ナット９４が埋め込まれた孔２８は、上述のようにノート型ＰＣ本体１０の底面において、後方側の角部の近傍に設けられる（図９参照）。
【０１１９】
バネ９３は、ネジ本体９２ａの底面に当接し、ネジ９２をノート型ＰＣ本体１０側（第２の支持体４５の上面側）に付勢する。バネの代わりにゴムなどの他の弾性体が用いられてももちろん構わない。
ネジ９２は、バネ９３により第２の支持体４５の上面側に付勢されているので、バッテリーパック４０がノート型ＰＣ本体１０に装着されていない状態では、ネジ部９２ｂは、第２の支持体の上面から突出する（図１２参照）。
【０１２０】
「固着機構の動作」
つぎに、図２４を参照して固着機構によりバッテリーパック４０がノート型ＰＣ本体１０に固着されるときの動作について説明する。
【０１２１】
固着機構による固着は、ノート型ＰＣ本体１０の本体ラッチ機構３３と、バッテリーパック４０のラッチ機構５０とが係合された後に行われる（図２２参照）。
【０１２２】
本体ラッチ機構３３とラッチ機構５０が係合されると、第２の支持体４５の上面と、ノート型ＰＣ本体１０の底面とが当接する。このとき、ネジ部９２ｂの先端部がナット９４の底面側に当接するため、ネジ９２全体が第２の支持体４５の底面側（図２４でみて上方）に向けて移動される。つまり、ネジ部９２ｂの先端部がナット９４の底面側に押されて、ネジ９２全体が第２の支持体４５内部に収納される。なお、このとき、バネ９３は、ネジ本体９２ａの底面に押されて縮む。
【０１２３】
ユーザによりダイヤル部９１の回転が開始されると、ダイヤル部９１と一体形成された筒体９０の回転が開始され、筒体９０の回転共に回転可能なネジ本体９２ａの回転が開始される。これにより、ネジ９２全体の回転が開始され、ネジ部９２ｂのナット９４に対する螺着が開始される。ネジ部９２ｂのナット９４に対する螺着が開始される際、ネジ本体９２ａの底面側に押されて縮んだバネ９３がネジ部９２ｂとナット９４との螺着を補助する。
【０１２４】
ユーザによりダイヤル部９１の回転が継続されると、ネジ本体９２ａは、ネジ部９２ｂに筒体９０の回転力を伝達しながら、自身は、ネジ部９２ｂによるナット９４への螺着によりノート型ＰＣ本体１０側へ移動される。そして、ネジ部９２ｂとナット９４との螺着が完了され、バッテリーパック４０がノート型ＰＣ本体１０に対して強固に固着される。
【０１２５】
ここで、ユーザによりダイヤル部９１が回転される際、ダイヤル部９１は、垂直軸方向（Ｚ軸方向）へ移動することはなく、垂直軸方向で一定の位置を保つことができる。すなわち、本実施形態では、ネジ本体９２ａが筒体９０の回転力をネジ部９２ｂに伝達することができ、かつ、筒体９０内を垂直軸方向に移動可能であるため、ダイヤル部９１を垂直軸方向で一定の位置で保つことができる。
【０１２６】
これにより、ダイヤル部９１の操作性を向上させることができる。さらに、ダイヤル部９１を垂直軸方向で一定の位置に保つことができるので、デザイン的にも有利である。
【０１２７】
（作用等）
以上説明したように、本実施形態に係るバッテリーパック４０では、第２の筐体４２が第１の筐体４１に対して所定の角度傾斜して設けられているので、第２の筐体４２の上面と、本体底面の後方側領域２１ｂとの間に間隙を形成することができる。これにより、ノート型ＰＣ本体１０からの熱が第２の筐体４２に直接的に伝わってしまうことを防止することができる。これにより、第２の筐体４２に内蔵された第２のバッテリーセル群６３が高温となってしまい、第２のバッテリーセル群６３の容量劣化が加速されてしまうことを防止することができる。
【０１２８】
また、本実施形態では、第２の筐体４２の上面と、本体底面の後方側領域２１ｂとの間に間隙を形成することができるので、第２の筐体４２が、本体底面の後方側領域２１ｂに設けられたファン装置の吸気口２７を覆ってしまうことを防止することができる。これにより、ノート型ＰＣ本体１０内部が高熱となってしまうことを防止することができる。
【０１２９】
さらに、本実施形態では、第２の筐体４２が第１の筐体４１に対して所定の角度傾斜して設けられているので、バッテリーパック４０にチルトフットとしての機能を兼用させることができる。
【０１３０】
さらに、本実施形態では、熱伝導シート６５により第１のバッテリーセル群６１と、第２のバッテリーセル群６３との間で熱を伝導させることができる。これにより、第１のバッテリーセル群６１及び第２のバッテリーセル群６３の温度を均一化することができる。これにより、バッテリーセル４３ａ〜４３ｈの容量劣化の加速されてしまったり、バッテリーセル４３ａ〜４３ｈの過充電が生じてしまったりすることを防止することができる。
【０１３１】
さらに、本実施形態では、熱伝導シート６５の第３の部分６５ｃは、ノート型ＰＣ本体１０の本体底面の後方側領域２１ｂと、第２の筐体４２に内蔵されるバッテリーセル４３ｅ〜ｈとの間に介在されることになる。これにより、熱伝導シート６５の第３の部分６５ｃに、断熱材としての機能を兼用させることができる。
【０１３２】
さらに、本実施形態では、ラッチ機構５０が設けられており、ラッチ機構５０のリリースレバー７９は、バッテリーパック４０の底面側から露出する。これにより、ユーザは、第２の筐体４２により本体ラッチ機構３３のリリースレバー１２が覆われてしまっても、バッテリーパック４０の底面側から露出するリリースレバー７９を操作することで、バッテリーパック４０をノート型ＰＣ本体１０から取り外すことができる。
【０１３３】
さらに、本実施形態では、ネジ本体９２ａが筒体９０の回転力をネジ部９２ｂに伝達することができ、かつ、筒体９０内を垂直軸方向に移動可能であるため、ダイヤル部９１を垂直軸方向で一定の位置で保つことができる。
【０１３４】
これにより、ダイヤル部９１の操作性を向上させることができる。さらに、ダイヤル部９１を垂直軸方向で一定の位置に保つことができるので、デザイン的にも有利である。
【０１３５】
＜各種変形例＞
本発明の一実施形態に係るバッテリーパック等は、上記した形態に限られず、種々の変形が可能である。
【０１３６】
上記した実施の形態では、バッテリーパック４０が搭載される電子機器の一例として、ノート型ＰＣ１０を挙げて説明した。しかし、バッテリーパック４０が搭載される電子機器は、ノート型ＰＣ１０に限られない。例えば、携帯型のゲーム機や、携帯電話等の他の電子機器にも本実施系形態に係るバッテリーパック４０は適用可能である。なお、バッテリーパック４０の大きさ等は搭載される電子機器の大きさに合わせて適宜設定されればよい。
【０１３７】
上記した実施の形態では、熱伝導シート６５は、単一の材料により形成されるとして説明した。しかし、熱伝導シート６５は、熱伝導率の異なる複数の材料の組み合わせにより形成されても構わない。この場合、例えば、熱伝導シート６５の第３の部分６５ｃに用いられる材料として、第１の部分６５ａ及び第２の部分６５ｂよりも熱伝導率の高い材料が用いられる。例えば、熱伝導シートの第３の部分に銅が用いられ、第１の部分６５ａ及び第２の部分６５ｂにアルミニウムが用いられてもよい。これにより、第１のバッテリーセル群６１と第２のバッテリーセル群６３と間でさらに熱の均一化を図ることができる。
【０１３８】
また、熱伝導シート６５の代わりに、薄型ヒートパイプ等の他の熱伝導部材が用いられてもよい。薄型ヒートパイプが用いられた場合、熱伝導シート６５が用いられた場合に比べて、熱の均一化の効率をさらに向上させることができる。なお、熱伝導シート６５が用いられた場合、薄型ヒートパイプが用いられた場合に比べて、バッテリーパック４０の薄型化の面で有利である。
【０１３９】
また、中間フレーム６２は、第１の筐体４１及び第２の筐体の一部を構成する他の部材である、上ケース６０及び下ケース６４よりも熱伝導率の高い材料により構成されていてもよい。例えば、上ケース６０及び下ケース６４が樹脂により構成され、中間フレーム６２がアルミニウムや銅などの金属により構成されていてもよい。これにより、熱伝導シート６５だけでなく、中間フレームを介して、第１のバッテリーセル群６１と第２のバッテリーセル群６３との間で熱を伝導させることができる。つまり、中間フレーム６２が上ケース６０及び下ケース６４よりも熱伝導率の高い材料により構成される形態の場合、熱伝導シート６５だけでなく、中間フレーム６２も熱伝導部材としての機能を有することになる。これにより、第１のバッテリーセル群６１と第２のバッテリーセル群６３と間でさらに熱の均一化を図ることができる。
【０１４０】
また、中間フレームが熱伝導部材としての機能を有する場合、中間フレーム６２は、熱伝導率の異なる複数の材料により構成されていてもよい。この場合、例えば、中間フレーム後方部６２ｂに用いられる材料として、中間フレーム前方部６２ａよりも熱伝導率の高い材料が用いられる。例えば、中間フレーム後方部６２ｂの材料として銅が用いられ、中間フレーム前方部６２ａの材料としてアルミニウムが用いられてもよい。これにより、第１のバッテリーセル群６１と第２のバッテリーセル群６３と間でさらに熱の均一化を図ることができる。
【０１４１】
中間フレーム６２が熱伝導部材としての機能を有する場合、熱伝導シート６５を省略する形態も考えられる。この場合、中間フレーム６２は、中間フレーム前方部６２ａの上面側で第１のバッテリーセル群６１と当接し、中間フレーム後方部６２ｂの底面側で第２のバッテリーセル群６３と当接する。そして、中間フレーム６２は、第１のバッテリーセル群６１と第２のバッテリーセル群６３との間で熱を伝導する。このような形態においても、第１のバッテリーセル群６１と第２のバッテリーセル群６３と間で熱の均一化を図ることができる。この場合、第１の貫通孔７３及び第２の貫通孔７４は、中間フレーム６２に設けられてなくともよい。
【０１４２】
なお、熱伝導シート６５が省略され、中間フレーム６２が熱伝導部材としての機能を有する形態の場合、一般的にバッテリーパックの筐体の材料として用いられる樹脂などの熱伝導率が低い材料は、中間フレーム６２の材料としては含まれない。例えば、ポリエチレン（熱伝導率０．４１Ｗ／ｍＫ）、ポリ塩化ビニル（熱伝導率０．１６Ｗ／ｍＫ）、ポリプロピレン（熱伝導率０．１７Ｗ／ｍＫ）等の熱伝導率の低い材料は、中間フレーム６２の材料としては含まれない。
【０１４３】
上記した実施の形態では、バッテリーパック４０のラッチ機構５０が有する操作部として、スライド式のリリースレバー７９を例に挙げて説明した。しかし、ラッチ機構５０の操作部は、スライド式のリリースレバー７９に限られない。ラッチ機構５０の操作部の他の例として、例えば、押圧式の操作部や、回転式の操作部等が挙げられる。なお、押圧式の操作部や、回転式の操作部等が用いられた場合、これらに合わせて、解除部材８２の形態も適宜変更される。解除部材８２は、操作部の操作に応じて、係合部１３とロック爪７０との係合状態を解除可能な形態であればどのような形態であっても構わない。
【符号の説明】
【０１４４】
１０…ノート型ＰＣ本体
１３…係合部
２１…本体筐体
２１ａ…前方側領域
２１ｂ…後方側領域
２６…凹部
３３…本体ラッチ機構
４０…バッテリーパック
４１…第１の筐体
４２…第２の筐体
４３ａ〜４３ｈ…バッテリーセル
４６…第１の固着機構
４７…第２の固着機構
６２…中間フレーム
６５…熱伝導シート
７０…ロック爪
７９…リリースレバー
９０…筒体
９１…ダイヤル部
９２ｂ…ネジ部
９２ａ…ネジ本体
９２…ネジ
９３…バネ
９４…ナット
１００…ノート型ＰＣ
【図１】
2011054366.tif 000003
【図２】
2011054366.tif 000004
【図３】
2011054366.tif 000005
【図４】
2011054366.tif 000006
【図５】
2011054366.tif 000007
【図６】
2011054366.tif 000008
【図７】
2011054366.tif 000009
【図８】
2011054366.tif 000010
【図９】
2011054366.tif 000011
【図１０】
2011054366.tif 000012
【図１１】
2011054366.tif 000013
【図１２】
2011054366.tif 000014
【図１３】
2011054366.tif 000015
【図１４】
2011054366.tif 000016
【図１５】
2011054366.tif 000017
【図１６】
2011054366.tif 000018
【図１７】
2011054366.tif 000019
【図１８】
2011054366.tif 000020
【図１９】
2011054366.tif 000021
【図２０】
2011054366.tif 000022
【図２１】
2011054366.tif 000023
【図２２】
2011054366.tif 000024
【図２３】
2011054366.tif 000025
【図２４】
2011054366.tif 000026